(57)【要約】【課題】  歯科の実習教材において、歯冠の切削から電気的根管長の測定まで一貫した実習が可能な歯髄模型の提供。【解決手段】  歯髄腔に見立てた極めて細い空洞の表面を、主要材料であるエポキシ樹脂に有色顔料を添加する方法で着色し、非着色部と着色部の硬度を同一にすることで、歯冠の切削から電気的根管長の測定までをリアルな感触で一貫した実習を可能とする。【選択図】図１
2015036811.tif 000002
【特許請求の範囲】
【請求項１】
本発明は、歯科の実習、訓練や歯科治療方法の研究において使用される歯髄模型であり、歯髄腔の拡大、電気的根管長の測定を同時に実習できることを特徴とするエポキシ樹脂製の歯髄模型の歯髄腔の着色方法及び使用方法。
【請求項２】
１工程目の歯髄形状（７）はエポキシ樹脂を常温もしくは加熱硬化させて成形し、完全硬化が終了する前に、有色顔料を添加する方法で着色したエポキシ樹脂を着色樹脂投入部（８）に流し込み、前記樹脂投入部に歯髄神経モデル（９）を設置し、更に硬化後に、歯髄神経モデル（９）を引き抜くことにより、厚みが均一で、かつ１工程目の歯髄形状（７）と同じ硬度で一体化した着色層（１０）をかたち造ることを特徴とした歯髄模型の歯髄腔の着色方法。
【請求項３】
歯髄模型（２）及び着色樹脂投入部（８）に流すエポキシ樹脂の色は、用途により有色顔料で着色することを特徴とした歯髄模型の着色方法。
【請求項４】
歯髄模型（２）を、生理食塩水（６）または人体と同程度の電気的導通特性を有す物質を満たした専用の作業スタンド（１）に防水キャップ（３）を介して差し込み自立固定させ、電気的導通を図るための電極（４）を設け、そこから電気的根管長測定器（１１）に接続するためのリード線（５）を有する構造で、リーマー、ファイル（１２）による歯髄腔の拡大訓練を着色層が削られて色が変わることで、切削状況を確認し、切削深度を目視しながら根穿孔までの電気的根管長の測定を可能とすることを特徴とした歯髄模型の使用方法。
【発明の詳細な説明】
【技術分野】
【０００１】  本発明は、歯科の教育実習や訓練において使用される模型で、歯冠の切削、抜髄後の歯髄拡大、電気的根管長の測定を一貫して実習することを可能とした歯髄模型の歯髄腔を模した空洞壁面の着色方法及び使用方法に関するものである。
【背景技術】
【０００２】  従来の歯科の実習においては、抜髄後の歯髄腔の拡大、電気的根管長の測定をそれぞれの専用工程用の模型で実習を行っている。【０００３】  従来の歯科の実習教材で、抜髄後の歯髄腔の拡大の訓練に使用される模型は、その内部に設けた歯髄腔に見立てた極細い空洞の表面を均一に拡大することを目的とするが、拡大状況を視覚的に確認するために歯髄腔の表面は着色されていることが望ましい。【０００４】  従来の歯科の実習において使用される歯髄模型は、その内部に設けた歯髄腔に見立てた極細い空洞の表面を塗装しており、塗装の密着強度や塗装膜の硬度が十分ではなく、本来目的とする拡大の訓練ではなく塗装を剥がす感覚に近いため、十分な実習が行われないのが現状である。
【発明の概要】
【発明が解決しようとする課題】
【０００５】  従来の歯科の実習教材においては、抜髄後の歯髄拡大、電気的根管長の測定の実習訓練をそれぞれの工程用の別模型で実習しており実際の治療と異なっていた。リーマーやファイルによる歯髄腔の拡大訓練と根穿孔までの電気的根管長の測定の訓練を同時に行うことが課題となる。【０００６】  従来の歯科の実習において使用される歯髄拡大訓練用の模型は、その内部に歯髄腔に見立てた極めて細い空洞があり、その空洞の表面を着色することが歯髄腔の拡大状況を視覚的に確認するうえで重要であるが、着色層の硬度が低く洗浄した時点で着色部分が流れ落ちてしまうという課題がある。
【課題を解決するための手段】
【０００７】  本発明は、歯科の実習において使用される歯髄模型であり、抜髄後の歯髄腔の拡大と電気的根管長の測定を同時に実習が可能とすることを特徴とする。【０００８】  歯髄モデル自体はエポキシ樹脂製であり、内部に歯髄腔を模した微細な空洞の拡大状況などの観察が容易な構造である。【０００９】  本発明は、歯科の実習において使用される歯髄模型であり、防水キャップを介して専用の作業スタンドに差し込み、自立固定した状態で実習に使用する。【００１０】  本発明は、歯髄腔に見立てた極めて細い空洞の表面を着色する方法として、塗装ではなく、主要材料であるエポキシ樹脂に有色顔料を添加する方法で着色して使用することで、空洞をかたち造る非着色部と着色部の硬度を同一としたことを特徴とする。【００１１】  主要材料であるエポキシ樹脂に有色顔料を添加する方法で着色して使用することで、任意の厚さの着色層を造ることを特徴とする。【００１２】  本発明の歯髄腔に見立てた極めて細い空洞壁面の着色は２工程で成形する。１工程目は、ポリプロピレンやポリエチレンなど、エポキシ樹脂に対して密着しにくい樹脂で成形した歯髄神経モデルを、エポキシ樹脂に対して密着しにくい樹脂で成形した外形形状の型となるケースの内部に固定したうえで液状のエポキシ樹脂を流し込み、常温もしくは加熱硬化させる。樹脂の温度膨張特性の差で、歯髄神経モデルを引き抜くことで空洞を造る。更に、ケースからも容易に取り出すことができる。歯髄神経モデルは、最終的に仕上げる歯髄腔の内径直径に着色層の厚さを加えた直径とする。２工程目では、有色顔料を添加する方法で着色したエポキシ樹脂を１工程目で造った空洞の歯髄腔から根穿孔までまんべんなく充填し、１工程目で造った空洞より一回り細い、最終的に狙う寸法で成形された歯髄神経モデルを挿入して再度硬化させる。硬化後は１工程目と同様に引き抜くことで着色する。【００１３】  ２工程目の作業は、１工程目のエポキシ樹脂の完全硬化前に行うことで着色層の密着性が向上するため、１工程目の完了から２４時間以内に２工程目の樹脂を充填する。【００１４】  歯髄神経は、歯冠直下の歯髄腔から歯根先端の穿孔部の神経に向けて細くなる方向のテーパー形状で、本発明では根穿孔径の直径を０．１ｍｍから０．３ｍｍとしている。【００１５】  本発明は、以上の構成からなる歯髄模型の歯髄腔の着色方法及び使用方法である。
【発明の効果】
【００１６】  本発明は、歯科の実習や訓練において使用される歯髄模型であり、歯髄腔の拡大の作業訓練と機器を接続しての電気的根管長の測定を同時に行えるために、よりリアルな歯科根管治療の実習が可能である。【００１７】  また、歯髄空洞と同じ硬度で内壁を着色してあるために、視覚的に観察しながら歯髄腔の拡大の実習が行えるので、均一に拡大する技術習得に有効である。【００１８】  更に、実際の治療と同じ工程で実習が行えるので、実際の治療において事故を減らし、より安全性の高い治療に役立つ。
【図面の簡単な説明】
【００１９】
【図１】本発明の全体を側面から見た断面図である。
【図２】本発明の着色の工程説明である。
【図３】本発明の使用例である。
【発明を実施するための形態】
【００２０】  図１は、本発明の着色方法により製作した製品の利用例である。電極（４）とリード線（５）を備えた作業スタンド（１）に防水キャップ（３）を挿し込み、更に歯髄模型（２）を取り付ける。
【００２１】  このとき、作業スタンド（１）と歯髄模型（２）を装着した防水キャップ（３）との間に生理食塩水（６）または人体と同程度の電気的導通特性を有す物質を十分に充填することで、電気的導通を得る構造である。
【００２２】  図２は、歯髄模型（２）の歯髄腔に着色する方法を表した図である。１工程目の歯髄形状（７）は、エポキシ樹脂を常温もしくは加熱硬化させて成形する。完全硬化が終了する前、具体的には初期硬化後２４時間以内に有色顔料を添加する方法で着色したエポキシ樹脂を着色樹脂投入部（８）に流し込む。
【００２３】  このときの歯髄模型（２）及び着色樹脂投入部（８）に流すエポキシ樹脂の色は、用途により有色顔料で着色するものとする。
【００２４】  着色樹脂投入部（８）に、歯髄神経モデル（９）を設置し、常温もしくは加熱硬化させる。このとき、１工程目の歯髄形状（７）が完全硬化する前であることから、投入した樹脂と強固に一体化する。
【００２５】  １工程目の歯髄形状（７）に歯髄神経モデル（９）を設置し、硬化後、歯髄神経モデル（９）を引き抜く。これにより、厚みが均一で、かつ１工程目の歯髄形状（７）と同じ硬度で一体化した着色層（１０）を製造することが可能となる。
【産業上の利用可能性】
【００２６】  本発明の基盤技術は、医療業界で微細血管のカテーテル挿入訓練に応用の可能性がある。
【符号の説明】
【００２７】（１）  作業スタンド
（２）  歯髄模型
（３）  防水キャップ
（４）  電極
（５）  リード線
（６）  生理食塩水
（７）  １工程目の歯髄形状
（８）  着色樹脂投入部
（９）  歯髄神経モデル
（１０）  着色層
（１１）  電気的根管長測定器
（１２）  リーマー、ファイル
【図１】
2015036811.tif 000003
【図２】
2015036811.tif 000004
【図３】
2015036811.tif 000005